(57)【要約】      （修正有）【課題】本考案は電子ペット玩具ボールを提供する。【解決手段】電子ペット玩具ボールは、左右一対の半球ホルダ２、１８により支持される対称の左右一対の半球輪ブッシュ１、１９を含み、半球ホルダ２、１８内にボールメインホルダ１３を備え、ボールメインホルダ１３に一対の中心対称の動力機構が設置され、動力機構がモータ１６を含み、一対のモータ１６が伝動歯車によりそれぞれ前主軸及び後主軸を回動駆動し、前主軸及び後主軸がペット玩具ボール全体を転がり駆動し、前主軸及び後主軸の回転速度差及び回動方向によりペット玩具ボールの転向を制御し、モータ１６の近傍に更にモータ回動速度を測定するための測速器５が設置され、ボールメインホルダ１３には、ボール体外部に露出させるように赤外線素子１２及びカメラが設置され、ペットの所有者が携帯電子機器により、ペット玩具ボールの転がり方向、速度を遠隔制御し、且つカメラの写真撮影或いはビデオ撮影を遠隔制御する。【選択図】図１
0003203860.tif 000002
【実用新案登録請求の範囲】
【請求項１】
左右一対の半球ホルダ（２、１８）により支持される対称の左右一対の半球輪ブッシュ（１、１９）を含み、前記半球ホルダ（２、１８）内にボールメインホルダ（１３）を備え、前記ボールメインホルダ（１３）に一対の中心対称の動力機構が設置され、
前記動力機構は一対のモータ（１６）を含み、一対のモータ（１６）が伝動歯車によりそれぞれ前主軸及び後主軸を回動駆動し、前記前主軸及び後主軸がペット玩具ボールの全体を転がり駆動し、前記前主軸及び前記後主軸の回動速度差及び回動方向によりペット玩具ボールの転向を制御し、
前記モータ（１６）の近傍に、更にモータ回動速度を測定するための測速器（５）が設置され、前記ボールメインホルダ（１３）には、ボール体の外部に露出させるように赤外線素子（１２）及びカメラが設置され、
ペットの所有者が携帯電子機器により前記ペット玩具ボールの転がり方向、速度を遠隔制御し、且つカメラの写真撮影或いはビデオ撮影を遠隔制御することを特徴とする電子ペット玩具ボール。
【請求項２】
蓄電池を更に含み、前記蓄電池が６Ｖ、１０００ｍＡの充電リチウム電池であることを特徴とする請求項１に記載の電子ペット玩具ボール。
【請求項３】
前記カメラは、７２０Ｐ  ＨＤカメラであることを特徴とする請求項１に記載の電子ペット玩具ボール。
【請求項４】
ボール主体に電源スイッチが更に設置されることを特徴とする請求項１に記載の電子ペット玩具ボール。
【請求項５】
前記電子ペット玩具ボール内部は、硬質プラスチック接着剤で作製され、且つ竜骨を備えることで、左右一対の半球輪ブッシュ（１、１９）が損壊された場合には、内部電子設備を前記ペットが誤食しないように保護し、前記半球輪ブッシュがＴＰＲ材質で、且つ取外して取替できることを特徴とする請求項１に記載の電子ペット玩具ボール。
【請求項６】
前記電子ペット玩具ボール自身にＰＣＢ電子集成制御板を備え、携帯電話により前記電子ペット玩具ボールの運動及びカメラの撮影を長距離間起動して制御できることを特徴とする請求項１に記載の電子ペット玩具ボール。
【請求項７】
即時にビデオ画像を所有者の携帯電話に伝送できることを特徴とする請求項６に記載の電子ペット玩具ボール。
【考案の詳細な説明】
【技術分野】
【０００１】
本考案はペット玩具に関し、特に新型電子ペット玩具ボールに関し、ペット玩具の技術分野に属する。
【背景技術】
【０００２】
人々の生活水準の向上により、例えば愛犬・愛猫等のペット愛好家がますます多くなり、ペットは、ボール類玩具を好み、従来のペットボール（玩具）は、機能が比較的単一で、所有者により制御されないで、ペットが遊んでいるときに、所有者がペットをビデオ撮影或いは写真撮影する際、ペットの近くで撮影することが難しいため、写真或いはビデオの角度が比較的単一になる。
【考案の概要】
【考案が解決しようとする課題】
【０００３】
本考案で解決しようとする技術問題は、従来のペット玩具ボールが、機能が比較的単一で、所有者により制御されないで、ペットが遊ぶと同時に、所有者がペットをビデオ撮影或いは写真撮影する際、ペットの近くで撮影することが難しいため、写真或いはビデオの角度が比較的単一になることにある。
【課題を解決するための手段】
【０００４】
本考案は以下の技術方案を採取する。
【０００５】
新型電子ペット玩具ボールは、それぞれ左右半球ホルダ（２、１８）により支持される対称の左右半球輪ブッシュ（１、１９）を含み、前記半球ホルダ（２、１８）内にボールメインホルダ（１３）を備え、前記ボールメインホルダ（１３）に一対の中心対称の動力機構が設置され、前記動力機構は一対のモータ（１６）を含み、一対のモータ（１６）が伝動歯車によりそれぞれ前主軸及び後主軸を回動駆動し、前記前主軸及び前記後主軸がペット玩具ボールの全体を転がり駆動し、前記前主軸及び前記後主軸の回動速度差及び回動方向によりペット玩具ボールの転向を制御し、前記モータ（１６）の近傍に、更にモータ回動速度を測定するための計測器（５）が設置され、前記ボールメインホルダ（１３）に、ボール体の外部に露出させるように赤外線素子（１２）及びカメラが設置され、ペットの所有者が携帯電子機器により前記ペット玩具ボールの転がり方向、速度を遠隔制御し、且つカメラの写真撮影或いはビデオ撮影を遠隔制御することを特徴とする。
【０００６】
より一層として、更に蓄電池を含み、前記蓄電池は６Ｖ、１０００ｍＡ充電リチウム電池である。
【０００７】
より一層として、前記カメラは７２０Ｐ  ＨＤカメラである。
【０００８】
より一層として、ボール本体に更に電源スイッチが設置される。
【０００９】
より一層として、前記新型電子ペット玩具ボール内部は硬質プラスチック接着剤で作製され、且つ竜骨が設置される。これにより、左右一対の半球輪ブッシュ１、１９が損壊される場合には、内部電子設備が愛犬により誤食されないように保護させ、前記半球輪ブッシュがＴＰＲ材質で、且つ取外して取替できる。
【００１０】
より一層として、前記電子ペット玩具ボール自身にＰＣＢ電子集成制御板を備え、携帯電話により前記電子ペット玩具ボールの運動及びカメラの撮影を長距離間で起動及び制御できる。
【００１１】
より一層として、前記電子ペット玩具ボールが即時にビデオ画像を所有者の携帯電話に伝送できる。
【考案の効果】
【００１２】
本考案の有益な効果は、以下のことにある。
【００１３】
１）美観の外形を備えて特殊な表面を設計し、左右一対の半球輪ブッシュが良好な保護作用を果たし、且つ取外しと取替を便利にする。
【００１４】
２）良好な操作性を具備し、前進後退して左右に転向できる。
【００１５】
３）即時にビデオ画像を伝送できることにより、所有者は、ペット用玩具ボールを遠隔操作して、家内のペットを探すことができる。
【００１６】
４）特殊な外部及び内部構造設計により、愛犬の咬合・咀嚼を安全に満たすことができ、且つ異なる味のあるローラーブッシュ部材に置換することで、愛犬の興味を引き付ける。
【００１７】
５）同時に、所有者が即時に家内環境を監視できるビデオ監視設備であり、所有者と愛犬との長距離インタラクティブの可能性を増大させる。
【図面の簡単な説明】
【００１８】
【図１】一実施の形態に係る新型電子ペット玩具ボールの分解斜視図である。
【図２】一実施の形態に係る新型電子ペット玩具ボール内部の動力機構の見取図である。
【図３】一実施の形態に係る新型電子ペット玩具ボールの制御原理ブロック図である。
【考案を実施するための形態】
【００１９】
以下、具体的な実施例及び図面を参照して、本実施の形態について説明する。
【００２０】
図１−図３に示すように、新型電子ペット玩具ボールは、対称の左右一対の半球輪ブッシュ１、１９を含み、左右一対の半球輪ブッシュ１、１９がそれぞれ左右一対の半球ホルダ２、１８により支持され、半球ホルダ２、１８内にボールメインホルダ１３を備え、ボールメインホルダ１３に一対の中心対称の動力機構が設置される。動力機構がモータ１６を含み、一対のモータ１６が伝動歯車によりそれぞれ前主軸及び後主軸を回動駆動し、前主軸及び後主軸がペット玩具ボールの全体を転がり駆動する。前主軸及び後主軸の回転速度差及び回動方向によりペット玩具ボールの転向を制御する。モータ１６の近傍に更に、モータ回動速度を測定するように計測器５が設置され、ボールメインホルダ１３に、ボール体外部に露出するように赤外線素子１２及びカメラが設置される。ペットの所有者が携帯電子機器によりペット玩具ボールの転がり方向、速度を遠隔制御し、且つカメラの写真撮影或いはビデオ撮影を遠隔制御する。
【００２１】
図３に示すように、新型電子ペット玩具ボールは、更に蓄電池を含み、蓄電池は、６Ｖ、１０００ｍＡの充電リチウム電池である。
【００２２】
カメラは、７２０Ｐ ＨＤカメラである。
【００２３】
ボールの本体上に、更に電源スイッチが設置される。
【００２４】
新型電子ペット玩具ボール内部は、硬質プラスチック接着剤で作製され、且つ竜骨が設置される。これにより、左右一対の半球輪ブッシュ１、１９が損壊される場合には、内部電子設備が愛犬により誤食されないように保護させ、半球輪ブッシュがＴＰＲ材質で、且つ取外して取替できる。
【００２５】
電子ペット玩具ボール自身にＰＣＢ電子集成制御板を備え、携帯電話により電子ペット玩具ボールの運動及びカメラの撮影を長距離間で起動及び制御できる。
【００２６】
電子ペット玩具ボールが即時にビデオ画像を所有者の携帯電話に伝送できる。
【００２７】
本考案の新型電子ペット玩具ボールは、美観の外形及び特殊表面設計を備え、左右一対の半球輪ブッシュが良好な保護作用を果たし、且つ取外しと取替を便利にする。また、良好な操作性を有し、前進後退して左右に転向できる。また、即時にビデオ画像を伝送できることにより、所有者ができる長距離で自己バランスボールを制御・操作して家中で自己の愛犬を探して見付ける。さらに、特殊な外部及び内部構造の設計により、愛犬の咬合・咀嚼を安全に満たすことができ、且つ異なる味のあるローラーブッシュ部材に置換することで、愛犬の興味を引き付ける。同時に、所有者が即時に家内環境を監視測定できるビデオ監視機器であり、所有者と愛犬との長距離インタラクティブの可能性を増大させる。
【符号の説明】
【００２８】
１  左半球輪ブッシュ
２  左半球ホルダ
３  ボール固定柱
４  軸受
５  測速器
６  駆動ギアボックス
７  測速輪
８  ＤＣ防水蓋
９  ＤＣスイッチ
１０  ＯＮ／ＯＦＦスイッチ
１１  ＯＮ／ＯＦＦスイッチカバー
１２  赤外線素子
１３  ボールメインホルダ
１４  転がりＰＯＭ軸受
１５  接続軸
１６  モータ
１７  ホルダ蓋
１８  右半球ホルダ
１９  右半球輪ブッシュ
【図１】
0003203860.tif 000003
【図２】
0003203860.tif 000004
【図３】
0003203860.tif 000005